(57)【要約】【課題】煉瓦積み調、石積み調の模様が凸設され、不規則に配列された高級感のあるデザインを有し、貼り付けの作業性に優れた建築用外装材１を提供する。【解決手段】建物の下地に貼り付けて用いられる定型寸法の外装材１であって、該外装材１の化粧面は異なった形や寸法を持つ煉瓦積み調、石積み調の模様が凸設され、不規則に配列されるとともに、上記模様の特定部位が基準部２１、３１とされている。好ましくは、上記外装材１が横長の長方形とされるとともに、２以上の基準部２１、３１が、所要枚数の上記外装材１が貼り付けられたとき縦方向に等間隔となるように設けられる。【選択図】図１
2004116005.tif 000002
【特許請求の範囲】
【請求項１】
建物の下地に貼り付けて用いられる定型寸法の外装材であって、該外装材の化粧面は異なった形や寸法を持つ煉瓦積み調、石積み調の模様が凸設され、不規則に配列されるとともに、上記模様の特定部位が基準部とされていることを特徴とする建築用外装材。
【請求項２】
上記外装材が横長の長方形である請求項１に記載の建築用外装材。
【請求項３】
上記基準部が２以上とされ、これらの基準部は、所要枚数の上記外装材が貼り付けられたとき縦方向に等間隔となるように設けられている請求項１に記載の建築用外装材。
【請求項４】
上記外装材１は、その上端には係合凸部が設けられ、その下端には係合凹部が設けられているとともに、左右両端には突合せ部が延設されている請求項１に記載の建築用外装材。
【請求項５】
上記建物の下地への貼り付けにモルタル系接着剤が用いられる請求項１に記載の建築用外装材。
【発明の詳細な説明】
【０００１】
【発明の属する技術分野】
本発明は、建築用外装材に関する。さらに詳しくは、一般住宅等の建物の下地に貼り付けて用いる、石積み調、煉瓦積み調にデザインされた化粧面を持つ建築用外装材に関する。
【０００２】
【従来の技術】
従来から、煉瓦積み調、タイル貼り調等にデザインされた平板な化粧面を持ち、かつ、定型寸法の建築用外装材が知られている。近年、上記した建築用外装材に、さらに高級感を付与するために、異なった形や寸法を持った煉瓦積み調、石積み調の模様を凸設して配列を不規則なものとし、デザインに工夫を凝らした化粧面を有するものが普及している。（例えば、特許文献１）
【０００３】
【特許文献１】
実開平７−４０８７５号公報（第１−２頁、第１図）
【０００４】
しかしながら、上記したように化粧面のデザインが複雑となり、不規則に配置されると、従来の、例えば、平板なタイル貼り調外装材のように、単に、目地を合わせ、ズレのないように施工することは困難となり、貼り付け施工の際の作業性が悪いという問題がある。
【０００５】
【発明が解決しようとする課題】
そこで、本発明は、上記課題を解決して、煉瓦積み調、石積み調の模様が凸設され、不規則に配列された高級感のあるデザインを有するとともに、貼り付け施工の際の作業性に優れた建築用外装材を提供することをその課題とする。
【０００６】
【課題を解決するための手段】
本発明は、上記課題を解決するために考え出されたものであって、つぎのような技術的手段を講じている。すなわち、本発明によれば、建物の下地に貼り付けて用いられる定型寸法の外装材であって、該外装材の化粧面は、異なった形や寸法を持つ煉瓦積み調、石積み調の模様が凸設され、不規則に配列されるとともに、上記模様の特定部位が基準部とされていることを特徴とする建築用外装材が提供される。このようにすることによって、高級感のあるデザインを有するとともに、貼り付け施工の際の作業性に優れた建築用外装材を提供することができる。
【０００７】
上記外装材は、横長の長方形とされることが好ましい。このようにすることにより、所要枚数の定型寸法の上記外装材を、建物の下地に貼り付けて外装を行なったとき、全体の仕上がり感が優れたものとなり、煉瓦積み調、石積み調の風合いを持つ高級な外観とすることができる。
【０００８】
上記基準部は２以上とされ、これらの基準部は、所要枚数の上記外装材が貼り付けられたとき縦方向に等間隔となるように設けられることが好ましい。このようにすることによって、縦方向の位置合わせを狂いのないように行なうことができるとともに、横方向には、これらの基準部が一直線上にあるように、位置合わせをすることができる。その結果、上記外装材の貼り付けを、目地がズレることなく、効率よく施工することができる。
【０００９】
上記外装材は、その上端には係合凸部が設けられ、その下端には係合凹部が設けられるとともに、左右両端には突合せ部が延設される。このようにすることによって、上記外装材の下端の係合凹部と、その下方に貼り付けられた外装材の上端の係合凸部とが係合し、同様に、つぎつぎと、係合凹部と係合凸部とが係合することによって、外装材が、相互に上下にしっかりと組合わされ、外れたり、ズレたりすることを防ぐ。また、各外装材の左突合せ部と右突合せ部とを突合せ、コーキング剤を充填し、目地を形成することによって、全体の仕上がり感が優れたものとなり、高級感のある外観とすることができる。
【００１０】
上記建物の下地への貼り付けにモルタル系接着剤が用いられる。上記外装材を仮留め金具で下地に固定するとともに、モルタル系接着剤で接着することにより、モルタル仕上げをされた上記建物の下地にしっかりと貼り付けることができる。
【００１１】
【発明の実施の形態】
以下、本発明の好ましい実施の形態について、図面を参照して、さらに詳細に説明する。図１（ａ）は、本発明にかかる横長の定型寸法（縦４５ｃｍ×幅９０ｃｍ）を有する建築用外装材１の正面図であり、図１（ｂ）は、図１（ａ）におけるＸ−Ｘ線に沿う側断面図である。図１（ａ）、図１（ｂ）からよくわかるように、上記外装材１は、異なった形や寸法を持つ煉瓦積み調、石積み調の模様が凸設され、不規則に配列された化粧面を有している。さらに、その上端には係合凸部１１およびその下端には係合凹部１２が設けられ、また、左端には突合せ部１３が、右端には突合せ部１４が設けられている。
【００１２】
図１（ａ）において、模様２の右下隅には、水平直線部が設けられ、基準部２１とされている。同様に、模様３の右下隅にも、水平直線部が設けられ、基準部３１とされている。このとき、基準部２１は、図１（ａ）においてｈで示すように、上から外装材１の縦の長さの１／４のところに位置し、基準部３１は、同様にｈで示すように、下から外装材１１の縦の長さの１／４のところに位置している。したがって、基準部２１と基準部３１の上下間隔ｍは、外装材１の縦の長さの１／２であり、ｍ＝２ｈとなる。
【００１３】
つぎに、上記基準部２１と基準部３１とが設けられた３枚の外装材１を、モルタル仕上げをされた一般住宅の下地に施工する場合を例にとり説明する。図２は、３枚の上記外装材１を仮留め金具（図示せず）で下地に固定するとともに、モルタル系接着剤で縦方向に貼り付けた状態を示す正面図である。図２からよくわかるように、ｍ＝２ｈとされているため、上記基準部２１と基準部３１とが、等間隔となるように貼り付け施工すれば、上下に狂いなく外装材１を貼り付けることができる。このとき、図２におけるＹ−Ｙ線に沿う側断面図である図３から明らかように、上記外装材１の下端の係合凹部１２と、その下の外装材１の上端の係合凸部１１とが係合し、３枚の外装材１が外れたり、ズレないように、互いにしっかりと組合わされている。
【００１４】
図４は、上記外装材１を、基準部２１と基準部２１とが一直線上に位置するように、また、基準部３１と基準部３１とが一直線上に位置するように貼り付け、各外装材１の左突合せ部１３と右突合せ部１４とを突合せ、シリコン系のコーキング剤を充填して目地４を形成した状態を示す部分正面図である。図４から明らかなように、外装材１の化粧面には、基準部２１と基準部３１とが、上下には等間隔となるように配置され、左右には、基準部２１どうし、また、基準部３１どうしが一直線上に位置するように配置されている。したがって、これらの基準部２１、３１を基準にして、位置合わせを行えば、煉瓦積み調、石積み調の高級な風合いを持った外装を、作業性よく貼り付けることができる。なお、基準部２１、基準部３１の各水平直線部は、余りに明瞭であると、外観に悪影響を与えるため、目立たなくして、予め、その位置を施工手順書等で、施工業者に示しておくことが好ましい。
【００１５】
【発明の効果】
以上述べたように、請求項１に記載の発明は、建物の下地に貼り付けて用いられる定型寸法の外装材１であって、該外装材１の化粧面は、異なった形や寸法を持つ煉瓦積み調、石積み調の模様が凸設され、不規則に配列されるとともに、上記模様の特定部位が基準部２１、３１とされていることを特徴とする建築用外装材１である。このようにすることによって、高級感のあるデザインを有するとともに、貼り付け施工の際の作業性に優れた建築用外装材１を提供することができる。
【００１６】
請求項２に記載の発明は、上記外装材１が横長の長方形とされる。このようにすることにより、請求項１に記載の発明の効果に加えて、所要枚数の定型寸法の上記外装材１を、建物の下地に貼り付けて外装を行なったとき、全体の仕上がり感が優れたものとなり、煉瓦積み調、石積み調の風合いを持つ高級な外観とすることができる。
【００１７】
請求項３に記載の発明は、上記基準部２１、３１が２以上とされ、これらの基準部は、所要枚数の上記外装材１が貼り付けられたとき縦方向に等間隔となるように設けられる。このようにすることによって、請求項１に記載の発明の効果に加えて、縦方向の位置合わせを狂いなく行なうことができるとともに、横方向には、これらの基準部が一直線上にあるようにして、位置合わせをすることができる。その結果、上記外装材１の貼り付けを、目地がズレることなく、効率よく施工することができる。
【００１８】
請求項４に記載の発明は、上記外装材１は、その上端には係合凸部１１が設けられ、その下端には係合凹部１２が設けられるとともに、左右両端には突合せ部１３，１４が延設される。このようにすることによって、請求項１に記載の発明の効果に加えて、上記外装材１の下端の係合凹部１２と、その下方に貼り付けられた外装材１の上端の係合凸部１１とが係合し、同様に、つぎつぎと、係合凹部１２と係合凸部１１とが係合することによって、外装材１が、相互に上下にしっかりと組合わされ、外れたり、ズレたりすることを防ぐ。また、各外装材１の左突合せ部と右突合せ部とを突合せ、コーキング剤を充填し、目地４を形成することによって、全体の仕上がり感が優れたものとなり、高級感のある外観とすることができる。
【００１９】
請求項５に記載の発明は、上記建物の下地への貼り付けにモルタル系接着剤が用いられる。このようにすることにより、請求項１に記載の発明の効果に加えて、上記外装材１を仮留め金具で下地に固定するとともに、モルタル系接着剤で接着することにより、モルタル仕上げをされた建物の下地にしっかりと貼り付けることができる。
【図面の簡単な説明】
【図１】（ａ）　本発明にかかる定型寸法の建築用外装材の正面図である。
（ｂ）　図１（ａ）におけるＸ−Ｘ線に沿う側断面図である。
【図２】本発明の外装材を縦方向に貼り付けた状態を示す正面図である。
【図３】図２におけるＹ−Ｙ線に沿う側断面図である。
【図４】本発明の外装材を建物の下地に施工した状態を示す部分正面図である。
【符号の説明】
１　　　　　外装材
１１　　　　外装材上端に設けられた係合凸部
１２　　　　外装材下端に設けられた係合凹部
１３　　　　外装材左端に設けられた突合せ部
１４　　　　外装材右端に設けられた突合せ部
２　　　　　模様
２１　　　　上記模様の右下隅に設けられた基準部
３　　　　　模様
３１　　　　上記模様の右下隅に設けられた基準部
４　　　　　目地
【図１】
2004116005.tif 000003
【図２】
2004116005.tif 000004
【図３】
2004116005.tif 000005
【図４】
2004116005.tif 000006